【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
約５以下の誘電率を有するホスト組成物と、
ホスト組成物に可溶な少なくとも１つの会合性ポリマーと、を含む非極性組成物であって、
少なくとも１つの会合性ポリマーは、約０．１ｃ＊から約１０ｃ＊の間の濃度でホスト組成物に含まれ、
ｃ＊は、
【数１】
2016512854.tif 000001
［ここで、ＭＷは重量平均分子量であり、Ｒｇは環動半径であり、Ｎａはアボガドロ定数である］であり、
少なくとも１つの会合性ポリマーが、少なくとも２つの末端と、少なくとも２つの末端のうちの２つ以上の末端において付与された官能基と、を有する直鎖、分岐、または、超分岐ポリマー骨格を含み、
直鎖、分岐、または、超分岐ポリマー骨格は、非極性組成物に実質的に可溶であり、官能基は、０．１＜ｌｏｇ１０ｋ＜１８の会合定数（ｋ）で別の官能基との会合性相互作用を受けることが可能である、非極性組成物。
【請求項２】
ホスト組成物が、炭化水素組成物、フッ化炭素組成物またはシリコン組成物である、請求項１に記載の非極性組成物。
【請求項３】
ホスト組成物が、ペンタン、ヘキサン、シクロヘキサン、ベンゼン、トルエン、クロロホルムおよびジエチルエーテル、液化石油ガス、液体メタン、ブタン、ガソリン、ケロシン、ジェット燃料ならびにディーゼル燃料である、請求項１または２に記載の非極性組成物。
【請求項４】
濃度が、０．５ｃ＊から２ｃ＊の間である、請求項１から３のいずれか一項に記載の非極性組成物。
【請求項５】
濃度が、約ｃ＊未満である、請求項１から３のいずれか一項に記載の非極性組成物。
【請求項６】
濃度が、０．１ｃ＊から０．５ｃ＊の間である、請求項１から３のいずれか一項に記載の非極性組成物。
【請求項７】
濃度が、約ｃ＊以下である、請求項１から３のいずれか一項に記載の非極性組成物。
【請求項８】
濃度が、０．０５ｃ＊からｃ＊の間である、請求項１から７のいずれか一項に記載の非極性組成物。
【請求項９】
濃度が、ｃ＊より高い、請求項１から３のいずれか一項に記載の非極性組成物。
【請求項１０】
濃度が、２ｃ＊から１０ｃ＊の間である、請求項１から３のいずれか一項に記載の非極性組成物。
【請求項１１】
少なくとも１つの会合性ポリマーが、約２，０００，０００ｇ／ｍｏｌ以下の重量平均分子量を有する、請求項１から１０のいずれか一項に記載の非極性組成物。
【請求項１２】
少なくとも１つの会合性ポリマーが、約２，０００，０００ｇ／ｍｏｌ以下の重量平均分子量および／または約１００，０００ｇ／ｍｏｌ以上の重量平均分子量を有する、請求項１から１０のいずれか一項に記載の非極性組成物。
【請求項１３】
少なくとも１つの会合性ポリマーが、約１００，０００ｇ／ｍｏｌから約１，０００，０００ｇ／ｍｏｌの間である重量平均分子量を有する、請求項１から１０のいずれか一項に記載の非極性組成物。
【請求項１４】
官能基がカルボン酸であり、他の官能基はカルボン酸であるか、または官能基はカルボン酸であり、他の官能基はアミンであるか、または官能基はアルコールであり、他の官能基はアミンであるか、または官能基はアルコールであり、別の官能基はカルボン酸であるか、または官能基はジアセトアミドピリジンであり、別の官能基はチミンであるか、または官能基はハミルトンレセプターであり、別の官能基はシアヌル酸である、請求項１から１３のいずれか一項に記載の非極性組成物。
【請求項１５】
（i）別の官能基が、同じ会合性ポリマーの少なくとも２つの末端のうちの少なくとも１つの末端に付与されている、及び／又は
（ii）別の官能基が、異なる会合性ポリマーの少なくとも１つの末端に付与されている、請求項１から１４のいずれか一項に記載の非極性組成物。
【請求項１６】
式
【化１】
2016512854.tif 000002
の構造単位、および、任意選択で式
【化２】
2016512854.tif 000003
の構造単位を有し、
式中、ＦＧは、０．１＜ｌｏｇ１０ｋ＜１８の範囲内の会合定数（ｋ）で別のものとの会合性相互作用を受けることが可能であるように１つまたは複数の会合性部分を含み得る官能基であり、
鎖は非極性組成物に実質的に可溶な非極性ポリマーであり、ポリマーは式（ＩＩＩ）：
Ｒ１−［Ａ］ｎＲ２
（ＩＩＩ）
［式中、Ａは化学部分であり、
Ｒ１およびＲ２は、任意の炭素系または有機の基から独立に選択し、ならびに
ｎは≧１の整数である］
を有し、
ノードは、少なくとも１つの第１の鎖のＲ１およびＲ２のうちの１つを、少なくとも１つの第２の鎖のＲ１およびＲ２のうちの１つに連結している共有結合部分であり、ならびに
ポリマーの異なる構造単位のＦＧ、鎖およびノードは、同じかまたは異なるものとし得、任意に官能基が、ジアセトアミドピリジン基、チミン基、ハミルトンレセプター基、シアヌル酸基、カルボン酸基、第一級、第二級および第三級アミン基、ならびに第一級、第二級および第三級アルコール基から選択され、及び／又は
Ａが、ジエン、オレフィン、スチレン、アクリロニトリル、メタクリル酸メチル、酢酸ビニル、ジクロロジメチルシラン、テトラフルオロエチレン、酸、エステル、アミド、アミン、グリシジルエーテルおよびイソシアネートから選択される、請求項１から１５のいずれか一項に記載の非極性組成物。
【請求項１７】
ｎが、２００以上または８００以上であり、任意に、Ｒ１およびＲ２が、独立に、置換または非置換のメチンまたはメチレン基である、請求項１６に記載の非極性組成物。
【請求項１８】
非極性組成物の物理的および／または化学的特性を制御する方法であって、
約５以下の誘電率を有するホスト組成物を用意するステップと、
ホスト組成物に可溶な少なくとも１つの会合性ポリマーを用意するステップと、
少なくとも１つの会合性ポリマーに対する重なり濃度ｃ＊を決定するステップと、
ホスト組成物中の少なくとも１つの会合性ポリマーの濃度ｃを決定するステップであって、濃度ｃは、制御する物理的および／または化学的特性に応じて約０．１ｃ＊から約１０ｃ＊の間で選択されるステップと、
ホスト組成物と、選択した濃度ｃでの少なくとも１つの会合性ポリマーと、を合わせるステップとを含み、
少なくとも１つの会合性ポリマーが、少なくとも２つの末端と、少なくとも２つの末端のうちの２つ以上の末端において付与された官能基と、を有する直鎖、分岐、または、超分岐ポリマー骨格を含み、
直鎖、分岐、または、超分岐ポリマー骨格は、非極性組成物に実質的に可溶であり、官能基は、０．１＜ｌｏｇ１０ｋ＜１８の会合定数（ｋ）で別の官能基との会合性相互作用を受けることが可能である、方法。
【請求項１９】
濃度ｃが、０．５ｃ＊から２ｃ＊の間であり、物理的および／または化学的特性が、ミスト制御である、請求項１８に記載の方法。
【請求項２０】
濃度ｃが、約ｃ＊未満であり、物理的および／または化学的特性が、燃料効率である、請求項１８または１９に記載の方法。
【請求項２１】
濃度ｃが、０．１ｃ＊から０．５ｃ＊の間であり、物理的および／または化学的特性が、燃料効率である、請求項１８から２０のいずれか一項に記載の方法。
【請求項２２】
濃度ｃが、約ｃ＊以下であり、物理的および／または化学的特性が、抵抗低減および／または強化潤滑性である、請求項１８から２１のいずれか一項に記載の方法。
【請求項２３】
濃度ｃが、０．０５ｃ＊からｃ＊の間であり、物理的および／または化学的特性が、抵抗低減および／または強化潤滑性である、請求項１８から２２のいずれか一項に記載の方法。
【請求項２４】
濃度ｃが、ｃ＊を超え、物理的および／または化学的特性が、液体のゲルへの変換である、請求項１８または１９に記載の方法。
【請求項２５】
濃度ｃが、２ｃ＊から１０ｃ＊の間であり、物理的および／または化学的特性が、液体のゲルへの変換である、請求項１８、１９及び２４のいずれか一項に記載の方法。
【請求項２６】
非極性組成物の物理的および／または化学的特性を制御するシステムであって、
該システムが、５以下の誘電率を有する少なくとも２つのホスト組成物と、少なくとも２つのホスト組成物に可溶な少なくとも１つの会合性ポリマーとを含み、
少なくとも１つの会合性ポリマーは、約０．１ｃ＊から約１０ｃ＊の間の濃度で少なくとも２つのホスト組成物に含まれ、
ｃ＊は、
【数２】
2016512854.tif 000004
［ここで、ＭＷは重量平均分子量であり、Ｒｇは環動半径であり、Ｎａはアボガドロ定数である］であり、
少なくとも１つの会合性ポリマーが、少なくとも２つの末端と、少なくとも２つの末端のうちの２つ以上の末端において付与された官能基と、を有する直鎖、分岐、または、超分岐ポリマー骨格を含み、
直鎖、分岐、または、超分岐ポリマー骨格は、非極性組成物に実質的に可溶であり、官能基は、０．１＜ｌｏｇ１０ｋ＜１８の会合定数（ｋ）で別の官能基との会合性相互作用を受けることが可能である、システム。